(57)【要約】【課題】書き換え記録表示ができ、シート状でかつ充電が可能な情報表示装置と、情報表示装置にいつでもどこでも充電でき、手軽に持ち運べる充電器とからなる情報表示装置充電システムを提供することを目的とする。【解決手段】情報を書き換え表示維持する表示パネル部４と、表示情報信号を制御する信号制御回路３と、信号制御回路３と表示パネル部４とを駆動する駆動回路５とに電力供給する充電可能な表示装置側電池部６と、表示装置側電池部６を充電する充電部７と、を備える情報表示装置２と、必要に応じて充電される充電器側電池部１２から情報表示装置２の充電部７へ電力を供給する放電部１３と、を備える充電器１０と、を有し、情報表示装置２を使用しないときに、情報表示装置２を充電器１０に設置し、情報表示装置２の表示装置側電池部６を充電するように構成する。【選択図】  図１
2004350439.tif 000002
【特許請求の範囲】
【請求項１】
情報を書き換え自在に表示し維持する表示パネル部と、表示情報信号を制御する信号制御回路と、少なくとも前記信号制御回路と前記表示パネル部を表示駆動する駆動回路とに電力を供給する充電可能な表示装置側電池部と、前記表示装置側電池部を充電する充電部と、を備える情報表示装置と、
必要に応じて充電される充電器側電池部と、前記充電器側電池部から前記情報表示装置の充電部へ電力を供給する放電部と、を少なくとも備える充電器と、を有し、
前記情報表示装置を使用しない時に、前記情報表示装置を前記充電器に設置して、前記情報表示装置の前記表示装置側電池部を充電するように構成した情報表示装置充電システム。
【請求項２】
前記情報表示装置は、外部装置から、無線入力により表示情報信号を得て書き換え表示することを特徴とする請求項１に記載の情報表示装置充電システム。
【請求項３】
前記情報表示装置は、その形状が少なくともシート状の形状であり、前記表示装置側電池部は、充電が可能なシート状あるいはペーパー状の電池であることを特徴とする請求項１または２に記載の情報表示装置充電システム。
【請求項４】
前記充電部は、前記情報表示装置の一端の領域部に配置するように構成した請求項１から３のいずれかに記載の情報表示装置充電システム。
【請求項５】
前記充電器は、その形状が前記充電器の側面あるいは上部に設けた差込口を有する略円筒形状をしていて、前記情報表示装置を前記差込口から前記充電器の内側に沿うように挿入し、所定の位置に収納設置して、前記放電部から前記充電部へ電力を供給するように構成した請求項１から４のいずれかに記載の情報表示装置充電システム。
【請求項６】
前記充電器は、その形状が上板および下板からなる折り畳み可能な筐体形状をしていて、前記情報表示装置の前記充電部側を、前記充電器の前記上板を開いて前記充電器の前記下板の所定の位置に設置し、次に前記充電器の前記上板を閉じて、前記放電部から前記充電部へ電力を供給するように構成した請求項１から４のいずれかに記載の情報表示装置充電システム。
【請求項７】
前記充電器は、その形状が少なくとも１枚の板状の筐体からなる形状をしていて、前記情報表示装置の少なくとも前記充電部側を、前記充電器の上の所定の位置に設置し、前記放電部から前記充電部へ電力を供給するように構成した請求項１から４のいずれかに記載の情報表示装置充電システム。
【請求項８】
前記充電器は、その形状が略長方形の開口部を有する筐体形状をしていて、前記情報表示装置の前記充電部側を前記開口部内に挿入し、所定の位置まで入れて設置し、前記放電部から前記充電部へ電力を供給するように構成した請求項１から４のいずれかに記載の情報表示装置充電システム。
【請求項９】
前記充電器は、ＡＣ／ＤＣコンバーターおよび太陽電池および燃料電池の少なくともいずれかから電力を供給されるように構成した請求項１から８のいずれかに記載の情報表示装置充電システム。
【請求項１０】
前記充電器は、前記充電器に電力を供給する太陽電池を表面の少なくとも一部に設けた携帯収納用具内に設けていて、前記情報表示装置を前記携帯収納用具の側面部あるいは内部の所定の位置に挿入設置し、前記放電部から前記充電部へ電力を供給するように構成した請求項１から４のいずれかに記載の情報表示装置充電システム。
【請求項１１】
前記放電部から前記充電部への電力供給は、前記情報表示装置を前記充電器に設置した時、前記情報表示装置と前記充電器の少なくとも一方に設けたバネといった弾性を有する導電性付勢接触端子からなる接触端子による接触で行われるものであることを特徴とする請求項１から１０のいずれかに記載の情報表示装置充電システム。
【請求項１２】
前記放電部から前記充電部への電力供給は、前記情報表示装置を前記充電器に設置した時、電磁誘導により無接触で行われるものであることを特徴とする請求項１から１０のいずれかに記載の情報表示装置充電システム。
【請求項１３】
前記情報表示装置充電システムは、前記表示装置側電池部および前記充電器側電池部の少なくともいずれかの残存電気容量を示す案内表示を有することを特徴とする請求項１から１２のいずれかに記載の情報表示装置充電システム。
【請求項１４】
情報を書き換え自在に表示し維持する表示パネル部と、無線入力あるいは有線入力で得た表示情報信号を制御する信号制御回路と、少なくとも前記信号制御回路と前記表示パネル部を表示駆動する駆動回路とに電力を供給する充電可能な表示装置側電池部と、外部の充電器から電力の供給を受けて前記表示装置側電池部に充電する充電部と、を備えるように構成した情報表示装置。
【請求項１５】
少なくとも前記充電部は、前記情報表示装置の一端の領域部に配置するように構成した請求項１４記載の情報表示装置。
【請求項１６】
前記情報表示装置は、その形状が少なくともシート状の形状であり、前記表示装置側電池部は、充電が可能なシート状あるいはペーパー状の電池であることを特徴とする請求項１４または１５に記載の情報表示装置。
【請求項１７】
前記充電器から前記情報表示装置の前記充電部への電力供給は、前記情報表示装置を前記充電器に設置した時、前記情報表示装置と前記充電器の少なくとも一方に設けたバネといった弾性を有する導電性付勢接触端子による電気接触や、電磁誘導による無接触で行われるものであることを特徴とする請求項１４から１６のいずれかに記載の情報表示装置。
【請求項１８】
情報表示装置が有する表示装置側電池部に、外部から充電する充電器であって、充電器側電池部と、前記充電器側電池部から、前記情報表示装置の充電部へ電力を供給する放電部と、を有し、前記情報表示装置を使用しない時に、前記情報表示装置を前記充電器に設置して、前記情報表示装置の前記表示装置側電池を充電するように構成した充電器。
【請求項１９】
前記充電器は、その形状が、円筒形状と折り畳み可能な筐体形状と１枚の板状と略長方形の開口部を有する筐体形状の少なくともいずれかであるように構成した請求項１８に記載の充電器。
【請求項２０】
表面の少なくとも一部に設けた太陽電池と、前記太陽電池から電力を供給される充電器側電池部と前記充電器側電池部から電力を供給される放電部とを有する充電器とを備えた、所望の情報表示装置に充電する携帯収納用具であって、
表示装置側電池部と前記表示装置側電池部を充電する充電部とを少なくとも有する前記情報表示装置を、前記携帯収納用具の側面部あるいは内部の所定の位置に挿入設置し、前記放電部から前記充電部へ電力を供給するように構成した携帯収納用具。
【発明の詳細な説明】
【０００１】
【発明の属する技術分野】
本発明はシート状のリライタブルな電子ディスプレイである情報表示装置およびその充電システムに関する。
【０００２】
【従来の技術】
近年、紙に替わって省資源に有効であり、しかも、紙のような概念で表示させる、ペーパーライクあるいはシート状の、表示情報を書き換え（リライタブル）自在に表示しかつ維持する電子ディスプレイである情報表示装置が提案されている。そのような情報表示装置の例として、画素毎にスイッチング素子としてＴＦＴ（薄膜トランジスタ）を使用するアクティブマトリックス型の電気泳動ディスプレイなどが研究開発されつつある。上記のように、手軽に扱える表示装置であるためには、従来の液晶表示装置などより、しなやかなフィルム基板などを使用して全体が少なくともシート状に形成された情報表示装置であって、しかも、手軽に持ち運びができ、かつ、いつでもどこでも表示情報を書き換えできるようになることが必要である。
【０００３】
従来考えられている、少なくともシート状の情報表示装置において、これを持ち運んだり、携帯することができても、その情報表示装置の表示情報内容を書き換え記録／消去する際には、情報表示装置に電源を直接接続する、あるいは大型電池を情報表示装置に入れて使う必要がある。従って、現在、少なくともシート状の情報表示装置において、使用できる場所や使用できる時間が制限されており、手軽にいつでもどこでも使えるものはない。また、充電器と充電可能電池をその筐体内に内蔵した情報表示装置が考えられるが、情報表示装置の形状が大きく、剛直な筐体を必要としており、手軽に扱えるものではない。
【０００４】
従来、輸送手段であるオートバイの運転者が頭にかぶるヘルメット内に組み込まれ、その車速などの表示情報を運転中に随時見ることができて持ち運べるヘルメットマウントディスプレイにおいて、これを使用しない時に、表示部を有する上記ヘルメット側の充電可能な電池であるバッテリに、輸送手段であるオートバイの車体側についている充電可能な電池であるバッテリから電力を供給するようなヘルメットマウントディスプレイが提案されている（例えば、特許文献１参照）。
【０００５】
図７は、従来例のヘルメットマウントディスプレイ装置による充電システムのブロック図である。図７（ａ）は、ヘルメットマウントディスプレイ装置７０であり、液晶表示装置などの情報表示装置である表示部７４と、表示部７４に電力を供給するヘルメット側バッテリ７６と、ヘルメット側バッテリ７６を充電するための充電部７８とが、大きな形状のヘルメット７２に設けられている。そして、ヘルメット７２を使用しない時に車体側バッテリ８０から電力を受けて充電部７８へ供給する放電部８２が、輸送手段である大きなオートバイの車体８４に設けられている。つまり、図７（ｂ）で示しているように、ヘルメット７２を使用しない時にヘルメット７２を車体８４の座席内のコネクタ８５に取り付け、図７（ａ）の車体側バッテリ８０からヘルメット側バッテリ７６へ自動的に充電を行うことができるというものである（例えば、特許文献１参照）。
【０００６】
このように、上記特許文献１では、ヘルメット側電池と輸送手段である車体内部の車体側電池の２種類を持つことで、一方から他方へと電力を供給する構成であるが、運転者の頭部を保護するのが最大の目的であるヘルメットという大きな筐体に、剛直な表示装置を付属的に取り付けたものであり、また、上記ヘルメットという大きな筐体内部に、表示装置とは別個に電池と充電部、あるいは、その外側に太陽電池を配置装着したものである。このように、大きなエンジンで駆動する大きな車体であるオートバイによって、上記充電可能な情報表示装置を装着したヘルメットをかぶった人間と、バッテリ（電池）や放電部からなる充電器とを併せて輸送することが可能となるものである。こうした剛直な情報表示装置や大きい筐体の充電器や電池を大きな筐体であるヘルメット側や車体側に設けることは技術的に自由に作製できる。しかし、本発明に関わる、少なくとも紙やシート状の電子ディスプレイのようなしなやかな情報表示装置のシステムに、大きな輸送手段と大きなヘルメットのような筐体に充電システム各部を装着できるという上記従来技術そのものを適用することは技術的に困難という問題がある。
【０００７】
紙に代わって省資源に有効と考えられる、少なくともシート状の電子ディスプレイのような情報表示装置を手軽にいつでもどこでも使用できるようにするためには、いつでもどこでも表示情報の書き換えができる少なくともシート状の情報表示装置と、人間が手軽に持ち運んだり、携帯することができて、その情報表示装置をいつでもどこでも利用できるその充電システムが望まれている。
【０００８】
【特許文献１】
特開２０００−１８０７８４号公報
【０００９】
【発明が解決しようとする課題】
上述の特許文献１では、ヘルメットという筐体に表示部と電池と充電部をそれぞれ装着し、輸送手段であるオートバイの車体内部に車体側電池と放電部とを備え、ヘルメットを使用しないときにヘルメットを車体に掛けて、ヘルメットに装着された充電部へ、車体内に設けた車体側電池から放電部を介して電力を供給するようにしている。しかし、大きな輸送手段と大きなヘルメットのような筐体に充電システム各部を装着するという従来技術を、手軽にいつでもどこでも使用できる、少なくとも紙やシート状の電子ディスプレイのようなしなやかな情報表示装置とその充電システムに適用することは技術的に困難という問題があった。
【００１０】
本発明は、このような問題に鑑みなされたもので、いつでもどこでも表示情報の書き換えができる少なくともシート状でかつ充電が可能な情報表示装置と、人間が手軽に持ち運んだり、携帯することができて、その情報表示装置にいつでもどこでも充電することが可能な充電器とからなる情報表示装置充電システムを提供することを目的とする。
【００１１】
【課題を解決するための手段】
本発明は、前記課題を解決するために、以下の手段を採用した。
【００１２】
すなわち、本発明の情報表示装置充電システムは、情報を書き換え自在に表示し維持する表示パネル部と、表示情報信号を制御する信号制御回路と、少なくとも信号制御回路と表示パネル部を表示駆動する駆動回路とに電力を供給する充電可能な表示装置側電池部と、表示装置側電池部を充電する充電部と、を備える情報表示装置と、必要に応じて充電される充電器側電池部と、充電器側電池部から情報表示装置の充電部へ電力を供給する放電部と、を少なくとも備える充電器と、を有し、情報表示装置を使用しない時に、情報表示装置を充電器に設置して、情報表示装置の表示側電池部を充電するように構成するものである。
【００１３】
この構成により、充電可能となる情報表示装置と、小型軽量の充電器を持ち運び、情報表示装置を使用しない時に、情報表示装置をその充電器に設置し、情報表示装置へ自動的に充電することにより、いつでもどこでもその表示内容を見ることができ、また書き換えることができる。
【００１４】
また、本発明の情報表示装置充電システムの情報表示装置は、外部装置から、無線入力により表示情報信号を得て書き換え表示することを特徴とするものである。これにより、情報表示装置は、外部装置から、無線入力により表示情報信号を得て書き換え表示することにより、小型軽量の充電器に情報表示装置をセットして充電することにより、いつでもどこでも、さらに、歩いていてもその表示内容を見ながら書き換えることができる。
【００１５】
また、本発明の情報表示装置充電システムの情報表示装置は、その形状が少なくともシート状の形状であり、表示装置側電池部は、充電が可能なシート状あるいはペーパー状の電池であることを特徴とするものである。これにより、少なくともシート状の情報表示装置の一部に、シート状あるいはペーパー状の電池を設けた、しなやかな薄型軽量の充電が可能な情報表示装置とすることができる。
【００１６】
また、本発明の情報表示装置充電システムの情報表示装置の充電部は、情報表示装置の一端の領域部に配置するように構成するものである。これにより、大きさがいろいろ異なる形状の情報表示装置であっても、充電器に情報表示装置をセットする際に、充電部が情報表示装置の一端に設けた領域部に配置されているので、相対する充電器の所定の位置に正確に配置することができ、さらに簡易に充電することができる。
【００１７】
また、本発明の情報表示装置充電システムの充電器は、その形状が充電器の側面あるいは上部に設けた差込口を有する略円筒形状をしていて、情報表示装置を差込口から充電器の内側に沿うように挿入し、所定の位置に収納設置して、放電部から充電部へ電力を供給するように構成するものである。この構成により、持ち運びができる略円筒形状の充電器の側面あるいは上部に設けた差込口から、しなやかなフィルムなどで形成されたシート状のディスプレイである情報表示装置を、略円筒形状の充電器の内側に沿って所定の位置まで挿入セットし、情報表示装置に場所や時間を問わず手軽に充電することができる。
【００１８】
また、本発明の情報表示装置充電システムの充電器は、その形状が上板および下板からなる折り畳み可能な筐体形状をしていて、情報表示装置の充電部側を、充電器の上板を開いて充電器の下板の所定の位置に設置し、次に充電器の上板を閉じて、放電部から充電部へ電力を供給するように構成するものである。これにより、シート状の情報表示装置を、持ち運びが可能な折り畳み式の充電器に挟み込んで、場所や時間を問わず手軽に充電できる。
【００１９】
また、本発明の情報表示装置充電システムの充電器は、その形状が少なくとも１枚の板状の筐体からなる形状をしていて、情報表示装置の少なくとも充電部側を、充電器の上の所定の位置に設置し、放電部から充電部へ電力を供給するように構成するものである。これにより、シート状の情報表示装置を、持ち運びが可能な１枚の板状の充電器に設置することにより、場所や時間を問わず手軽に充電できる。
【００２０】
また、本発明の情報表示装置充電システムの充電器は、その形状が略長方形の開口部を有する筐体形状をしていて、情報表示装置の充電部側を開口部内に挿入し、所定の位置まで入れて設置し、放電部から充電部へ電力を供給するように構成するものである。これにより、充電器が略長方形の開口部を有する持ち運び可能な小型軽量の筐体形状をしているので、シート状の情報表示装置の充電部側を、充電器の略長方形の開口部に挿入し、所定の位置まで差し込むことにより、情報表示装置にいつでもどこでも手軽に充電できる。
【００２１】
また、本発明の情報表示装置充電システムの充電器は、ＡＣ／ＤＣコンバーターおよび太陽電池および燃料電池の少なくともいずれかから電力を供給されるように構成するものである。これにより、商用交流電源がある場所ではＡＣ／ＤＣコンバーターから、商用交流電源が無い場所では太陽電池や燃料電池から充電して電力を得た充電器に、情報表示装置をセットし、手軽に充電することができる。
【００２２】
また、本発明の情報表示装置充電システムの充電器は、充電器に電力を供給する太陽電池を表面の一部に設けた携帯収納用具内に設けていて、情報表示装置を携帯収納用具の側面部あるいは内部の所定の位置に挿入設置し、放電部から充電部へ電力を供給するように構成するものである。これにより、シート状の情報表示装置を、太陽電池を表面に付け、かつ充電器を内蔵した、持ち運びあるいは持ち歩き携帯が可能である携帯収納用具に挿入することにより、携帯収納用具を所望の場所に置きながらでも、あるいは携帯収納用具を持ち運び歩きながらでも、情報表示装置に充電することができる。
【００２３】
また、本発明の情報表示装置充電システムは、放電部から充電部への電力供給が、情報表示装置を充電器に設置した時、情報表示装置と充電器の少なくとも一方に設けたバネといった弾性を有する導電性付勢接触端子からなる接触端子による接触で行われるものであることを特徴とするものである。これにより、充電器あるいは情報表示装置の一方に、スプリングやバネあるいは片持ち梁などから形成された弾性を有する導電性付勢接触端子を備えているので、充電器に情報表示装置をセットしても、電気的に安定接触して充電することができる。
【００２４】
また、本発明の情報表示装置充電システムは、放電部から充電部への電力供給が、情報表示装置を充電器に設置した時、電磁誘導により無接触で行われるものであることを特徴とするものである。これにより、コイルなどを使用した電磁誘導で放電部から充電部へ電力を供給できるので、充電器に情報表示装置をセットしても、充電器と情報表示装置とは、短絡や接触不良を起こすことなく、無接触で安定して充電することができる。
【００２５】
また、本発明の情報表示装置充電システムは、表示装置側電池部および充電器側電池部の少なくともいずれかの残存電気容量を示す案内表示を有することを特徴とするものである。これにより、電池部の残存電気容量を示す案内表示があった時、電池の充電が必要かどうか、使用者が知ることができるので、電池の充電不足の案内などに対して、すぐ充電対処することが可能になる。
【００２６】
また、本発明の情報表示装置は、情報を書き換え自在に表示し維持する表示パネル部と、無線入力あるいは有線入力で得た表示情報信号を制御する信号制御回路と、少なくとも信号制御回路と表示パネル部を表示駆動する駆動回路とに電力を供給する充電可能な表示装置側電池部と、外部の充電器から電力の供給を受けて表示装置側電池部に充電する充電部と、を備えるように構成するものである。
【００２７】
この構成により、情報表示装置は、外部の充電器から情報表示装置に充電された電力により、無線あるいは有線入力で得た表示情報に従って、書き換え自在に表示し維持することができ、また、必要に応じて外部の充電器から充電して、いつでもどこでも手軽に使うことができる。
【００２８】
また、本発明の情報表示装置の少なくとも充電部は、情報表示装置の一端の領域部に配置するように構成するものである。これにより、大きさがいろいろ異なる形状の情報表示装置であっても、充電器から情報表示装置に充電する際に、情報表示装置の一端の所定の位置で充電することが容易となる。
【００２９】
また、本発明の情報表示装置は、その形状が少なくともシート状の形状であり、表示装置側電池部は、充電が可能なシート状あるいはペーパー状の電池であることを特徴とするものである。これにより、しなやかな薄型軽量のシート状で充電が可能で消費電力が小さい情報表示装置とすることができる。
【００３０】
また、本発明の情報表示装置の充電部への電力供給は、情報表示装置を充電器に設置した時、充電器の放電部から、情報表示装置と充電器の少なくとも一方に設けたバネといった弾性を有する導電性付勢接触端子による電気接触や、電磁誘導による無接触で行われるものであることを特徴とするものである。これにより、充電器あるいは情報表示装置の一方に設けた導電性付勢接触端子による電気接触、あるいは電磁誘導による無接触により、充電器の放電部から情報表示装置の充電部へ電力を安定して充電供給することができる。
【００３１】
また、本発明の充電器は、情報表示装置が有する表示装置側電池部に、外部から充電する充電器であって、充電器側電池部と、充電器側電池部から、情報表示装置の充電部へ電力を供給する放電部と、を有し、情報表示装置を使用しない時に、情報表示装置を充電器に設置して、情報表示装置の表示装置側電池を充電するように構成するものである。これにより、充電された充電器を持ち運び、その充電器に情報表示装置をセットすることにより、情報表示装置に手軽に充電することができる。
【００３２】
また、本発明の充電器は、その形状が、円筒形状と折り畳み可能な筐体形状と１枚の板状と略長方形の開口部を有する筐体形状の少なくともいずれかであるように構成するものである。これにより、円筒形状や折り畳み可能な筐体形状や１枚の板状あるいは略長方形の開口部を有する筐体形状をしている小型軽量の持ち運べる充電器であることにより、情報表示装置を充電器の所定の位置に設置することにより、情報表示装置にいつでもどこでも手軽に充電できる。
【００３３】
また、本発明の携帯収納用具は、その表面の少なくとも一部に設けた太陽電池と、太陽電池から電力を供給される充電器側電池部と充電器側電池部から電力を供給される放電部とを有する充電器とを備えた、所望の情報表示装置に充電するものであって、表示装置側電池部と表示装置側電池部を充電する充電部とを少なくとも有する情報表示装置を、携帯収納用具の側面部あるいは内部の所定の位置に挿入設置し、放電部から充電部へ電力を供給するように構成するものである。この構成により、少なくともシート状の情報表示装置を、太陽電池を表面に付け、かつ充電器を内蔵した携帯収納用具に挿入することにより、その携帯収納用具を置きながらでも、あるいは持ち歩き携帯しながらでも、情報表示装置に充電することができる携帯収納用具とすることができる。
【００３４】
なお、以上に述べた各構成は、本発明の趣旨を逸脱しない限り、互いに組み合わせることが可能である。
【００３５】
【発明の実施の形態】
以下、本発明の実施の形態について、図面を用いて説明する。
【００３６】
（実施の形態１）
図１は、本発明の第１の実施の形態による情報表示装置充電システムを示すブロック概念図である。図１において、情報表示装置充電システム１は、充電することが可能な情報表示装置２と、これを充電する充電器１０とからなる情報表示装置充電システムである。少なくともシート状の形状でしなやかな情報表示装置２には、無線あるいは有線入力で得た表示情報信号や画像情報信号を制御する信号制御回路３と、フィルムのような少なくともシート状のしなやかなディスプレイとして、表示情報や画像情報を表示するアクティブマトリックス型の電気泳動方式パネルからなる、情報を書き換え自在に表示し維持することが可能な表示パネル部４を形成する。また、表示パネル部４を表示駆動するためのソースドライバやゲートドライバからなる駆動回路５を形成配置する。また、無線入力で表示情報信号や画像情報信号を得る場合には、各駆動回路５で表示情報信号や画像情報信号の各一部を得てもよい。
【００３７】
この構成によって、情報表示装置２は、消費電力が小さい表示装置とすることができる。本発明では、さらに、情報表示装置２の一部に、少なくとも信号制御回路３と駆動回路５とに電力を供給するための、充電可能なシート状あるいはペーパー状の電池として、例えばリチウムポリマー電池やニッケル水素電池などを２次電池とした表示装置側電池部６と、外部の充電器１０から電力の供給を受けて表示装置側電池部６に充電制御する充電部７とを設けている。また、後述する形状の小型軽量で持ち運ぶことが可能な充電器１０には、少なくともＡＣ／ＤＣコンバーターやＳｉ太陽電池あるいはアルコールなどを使用した燃料電池などからなる外部の直流電源１１から、必要に応じて内部の充電制御回路（図示省略）によって制御充電される充電器側電池部１２と、充電器側電池部１２から情報表示装置の充電部７へ電力を放電供給する放電部１３と、を少なくとも設ける。また、電力量が小さい場合には、充電器１０の筐体に、ＡＣ／ＤＣコンバーターやＳｉ太陽電池あるいは燃料電池などを直流電源１１として、外付けあるいは内蔵していてもよい。
【００３８】
図１の情報表示装置充電システム１において、情報表示装置２を使用しない時に、少なくともシート状の情報表示装置２を、充電器１０の所定の位置に配置し、後述する互いの接触端子などで電気接続する。この時、点線部の外部の直流電源１１によって事前に充電された充電器側電池部１２を有する充電器１０において、充電器側電池部１２の電力が放電部１３から情報表示装置２の充電部７へ放電制御される。そして、情報表示装置２において、情報表示装置２の充電部７が、放電部１３から供給された電力を、図示しないが、表示装置側電池部６の電圧／電流を検知しながら、表示装置側電池部６へ自動的に制御し充電する。そして、情報表示装置２を、充電器１０から外して使用する時には、上記のように充電された表示装置側電池部６からなる電源によって、少なくとも信号制御回路３と駆動回路５によって、無線あるいは有線入力で得た表示情報信号に従って、アクティブマトリックス型の電気泳動パネルからなる表示パネル部４が駆動され、その表示情報内容が書き換えられ、自在に表示駆動し維持動作する。
【００３９】
上記により、充電可能となる情報表示装置と、小型軽量の充電器を持ち運び、情報表示装置を使用しない時に、情報表示装置をその充電器に設置し、情報表示装置へ自動的に充電することにより、いつでもどこでもその表示内容を見ることができ、また書き換えることができる。
【００４０】
また、上記で、情報表示装置は、パーソナルコンピュータや情報通信端末などの外部装置から、有線入力あるいは無線入力によって表示情報信号や画像情報信号を得て書き換え表示することになり、所定の場所にいる場合は勿論、歩いている時でも必要な表示情報を自在に得ることができ、後述する持ち運びが可能な小型軽量の充電器に情報表示装置をセットし充電することにより、さらに、いつでもどこでも、歩いていてもその情報表示装置の表示内容を見ることができ、また書き換える機会を増やすことができる。
【００４１】
また、その形状が少なくともシート状の形状のしなやかな情報表示装置に、表示装置側電池部として、充電が可能なシート状あるいはペーパー状の電池、例えば、リチウムポリマー電池やニッケル水素電池などの２次電池を設けているので、全体がしなやかな薄型軽量のシート状で充電が可能な情報表示装置とすることができる。
【００４２】
また、充電器は、商用交流電源から直流電源に変換するＡＣアダプターであるＡＣ／ＤＣコンバーターや、太陽電池や燃料電池から電力を得ることになるので、商用交流電源がある場所ではＡＣ／ＤＣコンバーターから、商用交流電源が無い場所では太陽電池や燃料電池から充電して電力を得た充電器に、情報表示装置をセットし、手軽にいつでもどこでも情報表示装置に充電することができる。
【００４３】
（実施の形態２）
図２は、本発明の第２の実施の形態による情報表示装置および充電器を含む情報表示装置システムを示す斜視概念図である。図１と同じものは、同じ参照番号を付す。また、簡略のために一部省略している。図２（ａ）は、情報表示装置２と充電器１０からなる情報表示装置充電システムであり、情報表示装置２には、少なくともシート状の情報表示装置２の一端に位置する領域部８に、充電部７とペーパー電池からなる表示装置側電池部６と、充電器１０側の後述する導電性付勢接触端子（図示省略）からなる接触端子１６と対向して電気接触する情報表示装置２側の接触端子９とを設けている。そして、図２（ａ）において、充電器１０は、その側面に設けた差込口１５を有する略円筒形状の筐体で、持ち運びが可能なように形成している。充電器１０の内部には、ＡＣ／ＤＣコンバーターや太陽電池や燃料電池などの外部の直流電源によって、必要に応じて充電制御回路（図示省略）から制御充電される充電器側電池部１２と、充電された充電器側電池部１２から情報表示装置の充電部７へ電力を放電制御し供給する放電部１３と、後述する導電性付勢接触端子（図示省略）からなる接触端子１６とを設けている。また、充電器１０の外側には、上記直流電源から電力を供給するための直流電源入力端子１７を形成している。また、充電器１０には、ＡＣ／ＤＣコンバーターを内蔵させて、これに商用交流電源を接続して、充電器側電池部１２に充電することもできる。
【００４４】
次に、図２（ｂ）において、事前に、充電器１０は、外部の上記直流電源を直流電源入力端子１７に接続し、内部の充電制御回路（図示省略）によって充電器側電池部１２を制御充電しておく。情報表示装置２を使用しない時に、情報表示装置２の一端を差込口１５から充電器１０の内側に沿うように挿入し、所定の位置に情報表示装置２を収納設置する。必要な場合には差込口１５を閉じる。充電器１０の内部で互いの接触端子９、１６同士が接触することにより、充電器１０の充電器側電池部１２が充電した電力を放電部１３から情報表示装置２の充電部７へ制御放電する。情報表示装置２において、情報表示装置２の充電部７は、放電部１３から供給された電力を、図示しないが、表示装置側電池部６の電圧／電流を検知しながら、表示装置側電池部６へ自動的に制御し充電する。図２において、差込口１５を充電器１０の側面に設けているが、差込口１５を充電器１０の上部に設けてもよく、この時には、情報表示装置を略円筒形状に丸めて、充電器上部に設けた差込口から、内部に挿入することで手軽に充電することができる。
【００４５】
上記により、充電器は、持ち運び可能なように、その側面あるいは上部に設けた差込口を持つ略円筒形状の筐体として形成しているので、充電器の差込口から、しなやかなフィルムなどで形成されたシート状のディスプレイである情報表示装置を、持ち運び可能な略円筒形状の充電器の内側に沿って所定の位置まで挿入セットし、情報表示装置に手軽に充電することができる。また、情報表示装置の一端にある領域部に、少なくとも充電部および接触端子を配置しているので、大きさがいろいろ異なる形状の情報表示装置であっても、充電器に情報表示装置をセットする際に、情報表示装置を、相対する充電器の所定の位置に正確に配置することができ、さらに簡易に充電することができる。
【００４６】
図３は、本発明の第２の実施の形態による他の情報表示装置および充電器を含む情報表示装置システムを示す概念図である。図１、図２と同じものは、同じ参照番号を付す。また、簡略のために一部省略している。図３（ａ）において、図２と異なるのは、情報表示装置充電システム１の情報表示装置２の少なくとも一部に、充電部７と表示装置側電池６と接触端子９を設けていることである。また、さらに、情報表示装置充電システム１において、後述する導電性付勢接触端子（図示省略）からなる接触端子１６と放電部１３と充電器側電池部１２と充電制御回路（図示省略）と直流電源入力端子１７を設けた充電器１０は、上板２０、下板２１からなる折り畳み可能な筐体形状で、折り畳み式の小型軽量な充電器として持ち運びが可能なように形成していることである。図３（ａ）において、外部から充電供給された折り畳み式の充電器１０の上板２０を開いて、情報表示装置２の接触端子９と充電器１０の接触端子１６を互いに対向させるように、情報表示装置２の一部に設けた充電部７側を、充電器１０の下板２１の所定の位置に設置する。
【００４７】
次に、図３（ｂ）において、事前に、充電器１０は、外部の上記直流電源を直流電源入力端子１７に接続し、内部の充電制御回路（図示省略）によって充電器側電池部１２を制御充電しておく。情報表示装置２を使用しない時に、充電器１０の上板２０を閉じると、接触端子（図示省略）同士が押圧されて接触することにより、充電器１０の充電器側電池部１２の電力を放電部１３から情報表示装置２の充電部７へ供給する。情報表示装置２において、情報表示装置２の充電部７は、放電部１３から供給された電力を、図示しないが、表示装置側電池部６の電圧／電流を検知しながら、表示装置側電池部６へ自動的に制御し充電する。
【００４８】
上記により、充電器が上下板からなる折り畳み可能、かつ持ち運び可能な小型軽量の筐体形状をしているので、シート状の情報表示装置を、持ち運び可能な折り畳み式の充電器に挟み込んで、手軽に充電できる。
【００４９】
図４は、本発明の第２の実施の形態による他の充電器を含む情報表示装置システムを示す斜視概念図である。図３と同じものは、同じ参照番号を付す。また、簡略のために一部省略している。図４（ａ）において、図３と異なるのは、情報表示装置充電システム１において、後述する導電性付勢接触端子（図示省略）からなる接触端子１６と放電部１３と充電器側電池部１２と充電制御回路（図示省略）と直流電源入力端子１７を有する充電器１０の形状が、略長方形の開口部２５を有する持ち運びが可能な小型軽量の筐体形状をしていることである。さらに、充電器１０の放電部１３の近くに少なくとも一次コイル３０を設け、情報表示装置２の充電部７の近くに少なくとも二次コイル３１を設けていることである。
【００５０】
図４（ｂ）において、情報表示装置２を使用しない時に、情報表示装置２の充電部７側を、充電器１０の開口部２５内に挿入し、所定の位置まで入れて設置する。そして、後述するように、充電器１０において、事前に充電された充電器側電池部１２の直流電力を放電部１３によって放電制御し、これを交流電力化して一次コイル３０に交流電流を流すと、情報表示装置２の一部に設けた二次コイル３１に電磁誘導による交流電流が流れる。情報表示装置２において、その交流電力を直流電力化し、挿入された情報表示装置２の充電部７により制御しながら表示装置側電池部６（図示省略）へ、無接触で電力を充電供給する。
【００５１】
上記により、充電器が略長方形の開口部を有する持ち運び可能な小型軽量の筐体形状をしているので、シート状の情報表示装置の一端を、持ち運び可能な充電器の略長方形の開口部に挿入し、所定の位置まで差し込むことにより、情報表示装置に手軽に充電できる。
【００５２】
（実施の形態３）
図５は、本発明の第３の実施の形態による他の充電器を持つ携帯収納用具を含む情報表示装置充電システムを示す斜視概念図である。図１〜図４と同じものは、同じ参照番号を付す。また、簡略のために一部省略している。図５（ａ）において、図２と異なるのは、情報表示装置充電システム１において、持ち運び携帯が可能である鞄（カバン）などの携帯収納用具３５が、その側面部あるいは内部に、充電電力を制御する充電制御回路（図示省略）と充電される充電器側電池部１２と充電された電力を放電制御する放電部１３と後述する導電性付勢接触端子（図示省略）からなる接触端子１６とを有する充電器１０を設けていて、更に、携帯収納用具３５の表面の少なくとも一部に、充電器１０に電力を供給する太陽電池３６を設けていることである。携帯収納用具３５は、例えば、取っ手３７がある鞄（カバン）の他に、ショルダーバッグ等のバッグであり、持ち歩き携帯あるいは運搬できて、情報表示装置２や充電器１０や他の各種物品を一緒に収納できるものである。図示していないが、携帯収納用具３５が、ショルダーバッグであれば、肩掛けベルトを有していて、これを背負って情報表示装置２と充電器１０を一緒に持ち歩くことができる。また、携帯収納用具３５には、ＡＣ／ＤＣコンバーターなどの外部直流電源を接続する直流電源入力端子１７を設けていてもよい。こうすることにより、携帯収納用具３５は、太陽電池および外部直流電源あるいは燃料電池のいずれかを供給電力源として使用することができる。
【００５３】
図５（ｂ）において、携帯収納用具３５を持ち運ぶ間に、その表面に配置されて充電器１０に接続した太陽電池３６が日光の照射を受けて、充電器１０の充電器側電池部１２が充電制御回路（図示省略）によって制御充電される。そして、情報表示装置２を書き換え表示しない時に、情報表示装置２を携帯収納用具３５の側面部に挿入、あるいは図示しないが、携帯収納用具３５を開けて内部の所定の位置に情報表示装置２を挿入設置することにより、互いの接触端子９、１６を介して、充電器側電池部１２に充電された電力が、充電器１０の放電部１３から放電される。挿入した情報表示装置２の充電部７は、放電部１３から供給された電力を、図示しないが、表示装置側電池部６の電圧／電流を検知しながら、表示装置側電池部６へ自動的に制御し充電する。このように、充電器が、太陽電池をその表面の一部に設けた鞄（カバン）あるいはショルダーバッグのような持ち歩き、持ち運び携帯が可能である携帯収納用具に内蔵されているので、シート状の情報表示装置を、太陽電池を表面に付け、かつ充電器を内蔵した携帯収納用具に挿入することにより、携帯収納用具を置きながらでも、あるいは携帯収納用具を持ち運び歩きながらでも、情報表示装置に充電することができる。
【００５４】
図６は、本発明の第１から第３の実施の形態による情報表示装置充電システムの充電器から情報表示装置への電力供給を示す概念図である。図１〜図５と同じものは、同じ参照番号を付す。また、簡略のために一部省略している。図６（ａ）の情報表示装置充電システム１において、充電器１０側に、導電性で弾性を有するスプリングやバネあるいは片持ち梁で形成した導電性付勢接触端子からなる接触端子１６を設ける。情報表示装置２には、所定の位置にこれに対応する導電性の接触端子９を設ける。情報表示装置２を充電器１０に設置した時、充電器側電池部１２を有する充電器１０の放電部１３から、接触端子９、１６間の接触を介して、表示装置側電池部６を有する情報表示装置２の充電部７への電力供給が行われる。また、導電性付勢接触端子からなる接触端子１６は、充電器１０側に設けず、情報表示装置側２に設けてもよい。これにより、充電器あるいは情報表示装置の一方がスプリングやバネや片持ち梁などの弾性を有する導電性付勢接触端子を備えているので、充電器に情報表示装置をセットしても、互いの接触端子が電気的に安定接触することになり、充電器の放電部から情報表示装置の充電部への電力供給は、一方が導電性付勢接触端子で他方が接触端子による弾性接触による電気接続により、安定して行うことができる。
【００５５】
図６（ｂ）において、情報表示装置充電システム１において、少なくとも充電器側電池部１２と放電部１３を有する充電器１０側で、放電部１３にＤＣ／ＡＣコンバーター３２を接続し、さらにＤＣ／ＡＣコンバーター３２に接続して、磁性体からなる鉄芯３３に巻いた一次コイル３０を設ける。鉄芯３３は、磁場を閉じこめる役目のものであり、これに代わる材料のものでもよい。さらに、情報表示装置２の充電部７に接続して、情報表示装置２の一部に少なくとも二次コイル３１とＡＣ／ＤＣコンバーター（図示省略）を設ける。また、充電器１０側に設けた鉄芯３３の形状を、情報表示装置２に設けた二次コイル３１に嵌合する形状にしてもよい。情報表示装置２を充電器１０に、一次コイル３０と二次コイル３１が互いに近接するように所定の位置に設置し、スイッチ（図示省略）を開くことにより、充電器側電池部１２からの直流電力がＤＣ／ＡＣコンバーター３２によって交流変換され、その交流電力が一次コイル３０に流れると、磁性体からなる鉄芯３３を介して、電磁誘導により、二次コイル３１に交流電流が流れる。この交流電流をＡＣ／ＤＣコンバーター（図示省略）を介して直流電力化し、充電器１０の放電部１３から情報表示装置２の充電部７への電力供給を、無接触で行う。このように、充電器に情報表示装置をセットすることにより、充電器の放電部から情報表示装置の充電部への電力供給が、電磁誘導により無接触で安定して行うことができる。
【００５６】
なお、上記で、本発明の情報表示装置充電システムには、表示装置側電池部および充電器側電池部の少なくともいずれかの残存電気容量を示す案内表示を有していてもよい。これにより、電池部の残存電気容量を使用者が知ることができるので、その後の充電行為などの対処が可能になる。
【００５７】
また、上記で表示装置をアクティブマトリックス型の表示装置として説明したが、パッシブマトリックス型（単純マトリックス型）の表示装置としても、同様に実施可能である。
【００５８】
また、上記でフィルムのような少なくともシート状のしなやかなディスプレイとして、電気泳動方式ディスプレイ（ＥＰＩＤ）を使用して説明したが、電子ペーパーディスプレイとして、電解析出方式や電子粉流体方式や干渉型変調（ＭＥＭＳ）方式あるいは有機ＥＬ、液晶表示方式、エレクトロクロミック表示方式（ＥＣＤ）などのディスプレイを用いても同様に実施可能である。
【００５９】
また、図３で、充電器を上下板２枚からなる折り畳み式の筐体形状として説明したが、充電器の形状として、放電部、充電器側電池部、充電制御回路などを内蔵した１枚のみからなる板状の筐体形状でもよく、その上にシート状の情報表示装置を所定の位置にセットし、電気接触あるいは無接触で充電させることも同様に実施可能である。
【００６０】
【発明の効果】
以上のように、本発明の情報表示装置充電システムにより、充電可能となる情報表示装置と、持ち運び可能で小型軽量の充電器を持ち運び、情報表示装置を使用しない時に、情報表示装置をその充電器に設置し、情報表示装置へ自動的に充電することにより、情報表示装置をいつでもどこでもその表示内容を見ることができ、また書き換えることができる。
【００６１】
また、本発明の情報表示装置により、情報表示装置は、外部の充電器から情報表示装置に充電された電力により、無線あるいは有線入力で得た表示情報に従って、書き換え自在に表示し維持することができ、また、必要に応じて外部の充電器から充電して、いつでもどこでも手軽に使うことができる。
【００６２】
また、本発明の充電器により、充電された充電器を持ち運んで、その充電器を使って情報表示装置をセットすることにより、情報表示装置に手軽に充電することができる。
【００６３】
また、本発明の携帯収納用具により、少なくともシート状の情報表示装置を、太陽電池を表面に付け、かつ充電器を内蔵した携帯収納用具に挿入することにより、その携帯収納用具を置きながらでも、あるいは持ち歩きながらでも、情報表示装置に充電することができる携帯収納用具とすることができる。
【図面の簡単な説明】
【図１】本発明の第１の実施の形態による情報表示装置充電システムを示すブッロク概念図
【図２】本発明の第２の実施の形態による情報表示装置および充電器を含む情報表示装置システムを示す斜視概念図
【図３】本発明の第２の実施の形態による他の情報表示装置および充電器を含む情報表示装置システムを示す概念図
【図４】本発明の第２の実施の形態による他の充電器を含む情報表示装置システムを示す斜視概念図
【図５】本発明の第３の実施の形態による他の充電器を持つ携帯収納用具を含む情報表示装置充電システムを示す斜視概念図
【図６】本発明の第１から第３の実施の形態による情報表示装置充電システムの充電器から情報表示装置への電力供給を示す概念図
【図７】従来例のヘルメットマウントディスプレイ装置による充電システムのブロック図
【符号の説明】
１  情報表示装置充電システム
２  情報表示装置
３  信号制御回路
４  表示パネル部
５  駆動回路
６  表示装置側電池部
７  充電部
８  領域部
９  接触端子
１０  充電器
１１  直流電源
１２  充電器側電池部
１３  放電部
１５  差込口
１６  接触端子
１７  直流電源入力端子
２０  上板
２１  下板
２５  開口部
３０  一次コイル
３１  二次コイル
３２  ＤＣ／ＡＣコンバーター
３３  鉄芯
３５  携帯収納用具
３６  太陽電池
３７  取っ手
７０  ヘルメットマウントディスプレイ装置
７２  ヘルメット
７４  表示部
７６  ヘルメット側バッテリ
７８  充電部
７９  太陽電池パネル
８０  車体側バッテリ
８２  放電部
８４  オートバイの車体
【図１】
2004350439.tif 000003
【図２】
2004350439.tif 000004
【図３】
2004350439.tif 000005
【図４】
2004350439.tif 000006
【図５】
2004350439.tif 000007
【図６】
2004350439.tif 000008
【図７】
2004350439.tif 000009